(57)【要約】  テレビ番組、ラジオ番組、映画、ライブイベントなどの１次メディアイベントを体験しているメディアの受け手に関連データを配信するための装置および方法を記載する。この関連データは、インターネットを介してアクセス可能なウェブサイトなど、１次メディアイベントに何らかの形で関連または関係する補足的情報にアクセスするためにメディアの受け手が使用することができる直接リンクの形をとることができる。この関連データはメディアの受け手を補足的情報に直接導くので、メディアの受け手が自ら補足的情報を探す必要はない。様々な実施形態で、直接リンクが、このリンクを使用して補足的情報にアクセスする無線通信デバイスに無線で送信される。一部の状況では、この直接リンクは、１次メディアデータストリームから抽出またはコピーされる。したがって、関連データを、単方向の１次メディアデータストリームから抽出し、インターネットや無線通信ネットワークなど、双方向の情報媒体からの補足的情報に対話形式でアクセスするために使用することができる。
2010510723.tif 000002
【特許請求の範囲】
【請求項１】
メディアデータソースからのメディア情報をメディアの受け手に転送するための方法であって、
（ａ）前記メディアデータソースから、１次データおよび関連データを含むメディアデータストリームを受信するステップであって、前記１次データが１次メディア表現を含み、前記関連データが前記１次メディア表現に関係する補足的情報を指示するステップと、
（ｂ）前記１次データに基づいて前記１次メディア表現を前記メディアの受け手に提示するステップと、
（ｃ）前記メディアデータストリーム内の前記関連データにアクセスするステップと、
（ｄ）前記関連データに基づいて前記補足的情報のロケーションを特定するステップと、
（ｅ）前記ステップ（ｄ）で特定された前記ロケーションにある前記補足的情報にアクセスするステップと、
（ｆ）前記補足的情報を前記メディアの受け手に提示するステップと
を含む方法。
【請求項２】
前記ステップ（ｃ）の後に、前記関連データを第１の関連データ受信デバイスに提供するステップをさらに含む、請求項１に記載の方法。
【請求項３】
前記関連データを前記第１の関連データ受信デバイスから第２の関連データ受信デバイスに転送するステップをさらに含む、請求項２に記載の方法。
【請求項４】
前記関連データを前記第１の関連データ受信装置に提供する前記ステップが、前記関連データを、ネットワーク接続を介して、サーバコンピュータ、パーソナルコンピュータ、ラップトップコンピュータ、携帯情報端末および無線通信デバイスからなるグループから選択される第１のコンピュータデバイスに提供するステップを含み、
前記関連データを前記第１の関連データ受信装置から前記第２の関連データ受信装置に転送する前記ステップが、前記関連データを、前記第１のコンピュータデバイスから、サーバコンピュータ、パーソナルコンピュータ、ラップトップコンピュータ、携帯情報端末および無線通信デバイスからなるグループから選択される第２のコンピュータデバイスに転送するステップを含み、
前記ステップ（ｄ）、（ｅ）および（ｆ）が前記第１のコンピュータデバイスまたは前記第２のコンピュータデバイスを使用して実行される、
請求項３に記載の方法。
【請求項５】
前記関連データを前記第１の関連データ受信装置に提供する前記ステップが、前記関連データを無線移動通信デバイスに送信するステップを含み、前記ステップ（ｄ）、（ｅ）および（ｆ）が前記無線移動通信デバイスを使用して実行される、請求項２に記載の方法。
【請求項６】
前記ステップ（ａ）が、テレビ番組サービスプロバイダから前記メディアデータストリームを受信するステップを含み、
前記ステップ（ｂ）が、テレビ表示デバイス上にテレビ番組を提示するステップを含む、
請求項１に記載の方法。
【請求項７】
前記ステップ（ａ）が、ラジオ番組サービスプロバイダから前記メディアデータストリームを受信するステップを含み、
前記ステップ（ｂ）が、オーディオデバイスを使用してラジオ番組を提供するステップを含む、
請求項１に記載の方法。
【請求項８】
前記ステップ（ａ）が、前記メディアデータストリームを、ＤＶＤ（デジタル多用途ディスク）プレイヤ、ＣＤ（コンパクトディスク）プレイヤおよびデジタル音楽プレイヤからなるグループから選択されるデジタルメディアプレイヤデバイスから受信するステップを含む、請求項１に記載の方法。
【請求項９】
前記ステップ（ａ）が、映画上映デバイスから前記メディアデータストリームを受信するステップを含み、
前記ステップ（ｂ）が、投影デバイスを使用して映画的特徴を映画館で上映するステップを含む、
請求項１に記載の方法。
【請求項１０】
前記ステップ（ａ）が、ライブイベントで使用される大型ビデオ表示デバイス用のビデオデータソースから前記メディアデータストリームを受信するステップを含み、
前記ステップ（ｂ）が、前記ライブイベントで前記大型ビデオ表示デバイス上にビデオ番組を上映するステップを含む、
請求項１に記載の方法。
【請求項１１】
前記ステップ（ｃ）が、前記メディアデータストリーム内の前記関連データを検出するステップと、前記関連データを復号するステップと、復号された関連データをメモリデバイスにコピーするステップとを含む、請求項１に記載の方法。
【請求項１２】
前記ステップ（ｃ）が、前記メディアデータストリーム内に符号化された１つまたは複数のＵＲＬ（ユニフォームリソースロケータ）データ列にアクセスするステップを含み、
前記ステップ（ｄ）が、前記１つまたは複数のＵＲＬ（ユニフォームリソースロケータ）データ列に少なくとも部分的に基づいて前記補足的情報のネットワークアドレスを特定するステップを含み、
前記ステップ（ｅ）が、前記ステップ（ｄ）で特定された前記ネットワークアドレスにある、前記補足的情報を含むデータファイルにアクセスするステップを含み、
前記ステップ（ｆ）が、前記メディアの受け手向けの補足的メディア表現を生成するために、前記補足的情報を含む前記データファイルを実行するステップを含む、
請求項１に記載の方法。
【請求項１３】
前記ステップ（ｃ）が、リモートコンピュータ記憶デバイスに記憶された前記補足的データ情報の可用性を示す１つまたは複数のデータタグにアクセスするステップを含む、請求項１に記載の方法。
【請求項１４】
１次データおよび関連データを含むメディアデータストリームに対して動作する装置であって、前記１次データが１次メディア表現を含み、前記関連データが前記１次メディア表現に関係する補足的情報を指示する、装置において、
メディアデータソースから前記メディアデータストリームを受信するためのメディアデータストリーム入力、
前記メディアデータストリーム内の前記関連データにアクセスするための抽出回路、
前記関連データを関連データ受信装置に提供するための第１の関連データ出力、および
前記１次データを１次データ提示デバイスに提供するための１次データ出力
を備える関連データアクセスデバイスと、
前記関連データを受信し、前記関連データが示すロケーションにある前記補足的情報にアクセスし、前記補足的情報を提示するための第１の関連データ受信装置と
を備える装置。
【請求項１５】
前記第１の関連データ受信装置が、前記関連データを第２の関連データ受信装置に提供するための第２の関連データ出力を備え、前記第２の関連データ出力が、無線データインターフェースデバイスおよび有線データインターフェースデバイスからなるグループから選択される、請求項１４に記載の装置。
【請求項１６】
前記第１の関連データ出力が、前記関連データを関連データ受信装置に送信するための無線データ送信機を含み、
前記第１の関連データ受信装置が無線移動通信デバイスを含む、
請求項１４に記載の装置。
【請求項１７】
前記無線移動通信デバイスが、携帯電話、無線通信機能を有する携帯情報端末デバイスおよび無線通信機能を有するラップトップコンピュータからなるグループから選択されるデバイスを含む、請求項１６に記載の装置。
【請求項１８】
前記第１の関連データ出力が、前記関連データを通信ネットワークに転送するためのネットワークインターフェースを含み、前記第１の関連データ受信装置が、前記通信ネットワークに接続された、パーソナルコンピュータ、サーバコンピュータ、ラップトップコンピュータおよび携帯情報端末からなるグループから選択されるコンピュータデバイスを含む、請求項１４に記載の装置。
【請求項１９】
前記関連データアクセスデバイスおよび第１の関連データ受信装置が単一のハウジング内に配置された、請求項１４に記載の装置。
【請求項２０】
前記関連データアクセスデバイスおよび前記第１の関連データ受信装置が、携帯電話、デジタルメディアプレイヤ、デジタル音楽プレイヤ、ＤＶＤ（デジタル多用途ディスク）プレイヤ、ＣＤ（コンパクトディスク）プレイヤ、携帯情報端末デバイス、ラップトップコンピュータ、パーソナルコンピュータ、衛星テレビ受信ユニット、ケーブルテレビ受信ユニット、地上波テレビ受信ユニット、衛星ラジオ受信ユニットおよび地上波ラジオ受信ユニットからなるグループから選択されるデバイスの構成要素である、請求項１９に記載の装置。
【請求項２１】
前記関連データアクセスデバイスが、携帯電話、デジタルメディアプレイヤ、デジタル音楽プレイヤ、ＤＶＤ（デジタル多用途ディスク）プレイヤ、ＣＤ（コンパクトディスク）プレイヤ、携帯情報端末デバイス、ラップトップコンピュータ、パーソナルコンピュータ、衛星テレビ受信ユニット、ケーブルテレビ受信ユニット、地上波テレビ受信ユニット、衛星ラジオ受信ユニットおよび地上波ラジオ受信ユニットからなるグループから選択されるデバイスの構成要素である、請求項１４に記載の装置。
【請求項２２】
前記メディアデータストリーム入力が、テレビ番組サービスプロバイダからテレビデータストリームを受信するためのテレビデータストリーム入力を含み、
前記抽出回路が、前記テレビデータストリーム内の前記関連データにアクセスするためのものであり、
前記１次データ出力が、１次テレビ番組データをテレビ表示デバイスに提供するためのものである、
請求項１４に記載の装置。
【請求項２３】
前記第１の関連データ受信装置がパーソナルコンピュータの構成要素であり、前記補足的情報が前記パーソナルコンピュータに関連する表示デバイスに提供される、請求項１４に記載の装置。
【請求項２４】
前記メディアデータストリーム入力が、ラジオ番組サービスプロバイダからラジオデータストリームを受信するためのラジオデータストリーム入力を含み、
前記抽出回路が、前記ラジオデータストリーム内の前記関連データにアクセスするためのものであり、
前記１次データ出力が、１次ラジオ番組をオーディオデバイスに提供するためのものである、
請求項１４に記載の装置。
【請求項２５】
前記メディアデータストリーム入力が、ＤＶＤ（デジタル多用途ディスク）読取デバイスからデジタルビデオデータを受信するためのデジタルビデオ入力を含み、
前記抽出回路が、前記デジタルビデオデータ内の前記関連データにアクセスするためのものであり、
前記１次データ出力が、前記デジタルビデオデータからのデジタルビデオ番組をビデオ表示デバイスに提供するためのものである、
請求項１４に記載の装置。
【請求項２６】
前記メディアデータストリーム入力が、映画上映デバイスから映画データを受信するための映画データ入力を含み、
前記抽出回路が、前記映画データ内の前記関連データにアクセスするためのものであり、
前記１次データ出力が、映画番組を映画番組提示デバイスに提供するためのものである、
請求項１４に記載の装置。
【請求項２７】
前記映画データが音声データを含む、請求項２６に記載の装置。
【請求項２８】
前記メディアデータストリーム入力が、大型ビデオデータ表示デバイス用のビデオデータソースからビデオデータを受信するための大型ビデオデータ入力を含み、
前記抽出回路が、前記ビデオデータ内の前記関連データにアクセスするためのものであり、
前記１次データ出力が、ビデオ番組を前記大型ビデオ表示デバイスに提供するためのものである、
請求項１４に記載の装置。
【請求項２９】
前記抽出回路が、前記メディアデータストリーム内に符号化された１つまたは複数のＵＲＬ（ユニフォームリソースロケータ）データ列にアクセスするためのものであり、
前記第１の関連データ受信装置が、前記１つまたは複数のＵＲＬ（ユニフォームリソースロケータ）データ列を受信し、前記１つまたは複数のＵＲＬ（ユニフォームリソースロケータ）データ列に少なくとも部分的に基づいて前記補足的情報のネットワークアドレスを特定し、前記ネットワークアドレスにある、前記補足的情報を含むデータファイルにアクセスするためのものである、
請求項１４に記載の装置。
【請求項３０】
前記第１の関連データ受信装置がさらに、補足的メディア表現を生成するために、前記補足的情報を含む前記データファイルを実行するためのものである、
請求項２９に記載の装置。
【請求項３１】
テレビメディアデータソースからのメディア情報をテレビメディアの受け手に転送するための方法であって、
（ａ）前記テレビメディアデータソースから、１次データおよび関連データを含むテレビメディアデータストリームを受信するステップであって、前記１次データが１次テレビメディア表現を含み、前記関連データが前記１次テレビメディア表現に関係する補足的情報を指示するステップと、
（ｂ）前記１次テレビメディア表現をテレビ表示デバイス上で前記メディアの受け手に提示するステップと、
（ｃ）前記テレビメディアデータストリーム内の前記関連データにアクセスするステップと、
（ｄ）前記１次テレビメディア表現内に補足的情報が入手可能である表示を提供するステップであって、前記表示が前記関連データに基づくステップと、
（ｅ）前記補足的情報に関する要求を送信するステップであって、前記要求が通信ネットワークを介して前記テレビメディアの受け手に関連するコンピュータデバイスから送信されるステップと、
（ｆ）前記要求に基づいて、前記補足的情報のネットワークアドレスを特定するステップと、
（ｇ）前記ネットワークアドレスにある前記補足的情報の可用性について前記テレビメディアの受け手に知らせるメッセージを、通信ネットワークを介して送信するステップと、
（ｈ）前記メディアの受け手に関連するコンピュータデバイスを使用して、通信ネットワークを介して前記メッセージにアクセスするステップと、
（ｉ）前記メディアの受け手に関連するコンピュータデバイスを使用して、通信ネットワークを介して前記補足的情報にアクセスするステップと
を含む方法。
【請求項３２】
前記ステップ（ｄ）が、前記テレビ表示デバイス上にアイコンを表示するステップを含む、請求項３１に記載の方法。
【請求項３３】
前記ステップ（ｆ）が、前記テレビメディアデータストリーム内に組み込まれたＵＲＬ（ユニフォームリソースロケータ）データに少なくとも部分的に基づいて前記補足的情報の前記ネットワークアドレスを特定するステップを含み、
前記ステップ（ｇ）が、前記ＵＲＬデータを含む前記メッセージを送信するステップを含み、
前記ステップ（ｉ）が、前記ＵＲＬデータが示す前記ネットワークアドレスにある前記補足的情報にアクセスするステップを含む、
請求項３１に記載の方法。
【請求項３４】
前記ステップ（ｇ）が、前記メディアの受け手に関連する前記コンピュータデバイスがアクセス可能な電子メールサーバに電子メールメッセージを送信するステップを含む、請求項３１に記載の方法。
【請求項３５】
前記ステップ（ｉ）が、前記メディアの受け手に関連する前記コンピュータデバイス上のネットワークブラウザアプリケーションを使用して前記補足的情報にアクセスするステップを含む、請求項３１に記載の方法。
【発明の詳細な説明】
【技術分野】
【０００１】
本発明は、メディアデータの転送および提示の分野に関する。より詳細には、本発明は、１次メディアデータに関係する関連データへのアクセスを提供するためのシステムに関する。
【背景技術】
【０００２】
メディア市場は、情報をメディアの消費者に提供するための、新しい、独自の方法を絶えず探し求めている。特に、メディア市場は、広告主のメッセージを、消費者の注目を集め、広告された製品やサービスに関するさらなる情報を求めるように消費者を促す形で潜在的な消費者に提供する革新的な方法を絶えず探し求めている。現在の課題は、テレビ番組やラジオ番組のコマの間にはさまれた一連の迷惑なコマーシャルなど、従来の方法にまったく頼らずに広告情報を提供することである。
【０００３】
１つの手法は、広告主の製品が映画やテレビ番組内のシーンで目立つように扱われる、映画やテレビ番組内での「プロダクトプレイスメント」であった。この手法は、消費者に広告主の製品を知らせるには効果的であったが、この方法で伝えることができる製品情報量は限られている。ウェブサイト上の情報にアクセスすること、または電子メールで情報を受け取ることなど、広告された製品やサービスに関するさらなる情報にアクセスするための容易で楽しめる方法を消費者に提供することが望ましいであろう。
【発明の概要】
【発明が解決しようとする課題】
【０００４】
消費者がメディアプログラムやメディアイベントを体験している間にその消費者を製品やサービスに関する追加情報に導き、これにより、その消費者がそのプログラムやイベント中に、またはその後に追加情報を探し出すことができる方法が求められている。
【課題を解決するための手段】
【０００５】
上記のおよび他のニーズを満たすために、本発明の様々な実施形態は、テレビ番組、ラジオ番組、映画、ライブイベントなどの１次メディアイベントを体験しているメディアの受け手に関連データを配信するための装置および方法を提供する。この関連データは、インターネットを介してアクセス可能なウェブサイトなど、１次メディアイベントに何らかの形で関連または関係する補足的情報にアクセスするためにメディアの受け手が使用する直接リンクを含むことができる。この直接リンクはメディアの受け手を補足的情報に直接導くので、メディアの受け手が自ら補足的情報を探す必要はない。
【０００６】
本発明の様々な実施形態では、直接リンクが、このリンクを使用して補足的情報にアクセスする通信デバイスに送信される。一部の状況では、この直接リンクは、１次メディアデータをメディアの受け手に運ぶデータストリームから抽出またはコピーされる。したがって、本発明の諸実施形態では、関連データを、「単方向」の１次メディアデータストリームから抽出し、その関連データを、インターネットや無線通信ネットワークなど、「双方向」の情報媒体からの補足的情報に対話形式でアクセスするために使用する。このようにして、本発明は、テレビ、ラジオ、映画、ビデオなどの単方向メディアがインターネットや無線通信ネットワークなどの双方向メディアに接続するための方法を提供する。
【０００７】
１次メディアデータの提示は、実質的に対話形式ではない、いわば「受身型」の体験と考えることができる。しかし、直接リンクを使用することで「能動型」または対話型の体験を実現し、メディアの受け手がそのリンクを使用して補足的情報にアクセスするので、その１次メディアイベントを向上させる。
【０００８】
好ましい実施形態では、本発明は、メディアデータソースからのメディア情報をメディアの受け手に転送する方法を提供する。この方法は、（ａ）メディアデータソースから、１次データおよび関連データを含むメディアデータストリームを受信するステップを含む。１次データは１次メディア表現を含み、関連データはその１次メディア表現に関係する補足的情報を指示する。この方法は、（ｂ）１次データに基づいて１次メディア表現をメディアの受け手に提示するステップと、（ｃ）メディアデータストリーム内の関連データにアクセスするステップと、（ｄ）その関連データに基づいて、補足的情報のロケーションを特定するステップと、（ｅ）ステップ（ｄ）で特定されたロケーションにある補足的情報にアクセスするステップと、（ｆ）メディアの受け手にその補足的情報を提示するステップとをさらに含む。
【０００９】
一部の好ましい実施形態では、ステップ（ａ）は、テレビ番組サービスプロバイダからメディアデータストリームを受信するステップを含み、ステップ（ｂ）は、テレビ表示デバイス上にテレビ番組を提示するステップを含む。一部の実施形態では、ステップ（ａ）は、ラジオ番組サービスプロバイダからメディアデータストリームを受信するステップを含み、ステップ（ｂ）は、オーディオデバイスを使用してラジオ番組を提供するステップを含む。他の実施形態では、ステップ（ａ）は、ＤＶＤプレイヤ、ＣＤプレイヤ、デジタル音楽プレイヤなどのデジタルメディアプレイヤデバイスからメディアデータストリームを受信するステップを含む。さらに他の実施形態では、ステップ（ａ）は、映画上映デバイスからメディアデータストリームを受信するステップを含み、ステップ（ｂ）は、投影デバイスを使用して映画的特徴を映画館で上映するステップを含む。一部の実施形態では、ステップ（ａ）は、ライブイベントで使用される大型ビデオ表示デバイス用のビデオデータソースからメディアデータストリームを受信するステップを含み、ステップ（ｂ）は、そのライブイベントで大型ビデオ表示デバイス上にビデオ番組を上映するステップを含む。
【００１０】
別の態様では、本発明は、１次データおよび関連データを含むメディアデータストリームに対して動作する装置であって、１次データが１次メディア表現を含み、関連データがその１次メディア表現に関係する補足的情報を指示する装置を提供する。好ましい実施形態では、この装置は、関連データアクセスデバイスと関連データ受信デバイスとを含む。関連データアクセスデバイスは、メディアデータソースからメディアデータストリームを受信するためのメディアデータストリーム入力と、メディアデータストリーム内の関連データにアクセスするための抽出回路と、関連データを関連データ受信装置に提供するための関連データ出力と、１次データを１次データ提示デバイスに提供するための１次データ出力とを備える。関連データ受信装置は、関連データを受信し、その関連データが示すロケーションにある補足的情報にアクセスし、メディアの受け手にその補足的情報を提示するためのものである。
【００１１】
一部の実施形態では、関連データ受信デバイスは、携帯電話、無線通信機能を有する携帯情報端末デバイスまたは無線通信機能を有するラップトップコンピュータである。他の実施形態では、関連データ受信デバイスは、パーソナルコンピュータまたはラップトップコンピュータの構成要素であり、補足的情報がそのパーソナルコンピュータまたはラップトップコンピュータに関連する表示デバイスに提供される。
【００１２】
一部の実施形態では、関連データアクセスデバイスは、携帯電話、デジタルメディアプレイヤ、デジタル音楽プレイヤ、ＤＶＤプレイヤ、ＣＤプレイヤ、携帯情報端末デバイス、ラップトップコンピュータ、パーソナルコンピュータ、衛星テレビ受信ユニット、ケーブルテレビ受信ユニット、地上波テレビ受信ユニット、衛星ラジオ受信ユニットまたは地上波ラジオ受信ユニットの構成要素である。
【００１３】
本発明のさらなる利点は、詳細な説明を諸図面と併せて参照することにより明らかになる。諸図面では、各要素は、詳細をより明らかに示すために正確な縮尺ではなく、複数の図面にわたって同じ参照番号は同様の要素を示す。
【図面の簡単な説明】
【００１４】
【図１】本発明の好ましい実施形態による、１次メディアデータに関係する関連データへのアクセスを提供するための装置の機能ブロック図である。
【図２】本発明の好ましい実施形態による、１次メディアデータに関係する関連データへのアクセスを提供するための方法の流れ図である。
【図３】本発明の好ましい実施形態による、１次ビデオデータに関係する関連データへのアクセスを提供するための方法の流れ図である。
【図４】本発明の代替実施形態による、１次ビデオデータに関係する関連データへのアクセスを提供するための方法の流れ図である。
【図５Ａ】本発明の好ましい実施形態による、１次メディアデータに関係する関連データへのアクセスを提供するための装置の機能ブロック図である。
【図５Ｂ】本発明の代替実施形態による、１次メディアデータに関係する関連データへのアクセスを提供するための装置の機能ブロック図である。
【図６】本発明の第１の実施形態による、１次ビデオデータに関係する関連データへのアクセスを提供するための装置の機能ブロック図である。
【図７】図６に示す装置のより詳細な説明を行う機能ブロック図である。
【図８】１次メディアデータストリーム内に組み込まれた関連データの例を示す図である。
【図９】図６に示す装置のより詳細な説明を行う機能ブロック図である。
【図１０】図１０Ａは、本発明の好ましい実施形態による、補足的情報へのリンクを含む１次ビデオメディア表現の例を示す図である。図１０Ｂは、本発明の好ましい実施形態による、表示デバイス上に表示されたウェブページの形をとる補足的情報の例を示す図である。
【図１１】本発明の第２の実施形態による、１次メディアデータに関係する関連データへのアクセスを提供するための装置の機能ブロック図である。
【図１２】本発明の別の実施形態による、１次メディアデータに関係する関連データへのアクセスを提供するための方法の流れ図である。
【図１３】本発明の第３の実施形態による、１次メディアデータに関係する関連データへのアクセスを提供するための装置の機能ブロック図である。
【図１４】本発明の第４の実施形態による、１次メディアデータに関係する関連データへのアクセスを提供するための装置の機能ブロック図である。
【図１５】本発明のさらに別の好ましい実施形態による、１次メディアデータに関係する関連データへのアクセスを提供するための方法の流れ図である。
【発明を実施するための形態】
【００１５】
図１は、１次メディアデータに関係する関連データへのアクセスを提供するためのシステム１０の好ましい実施形態を示す。この説明では、「１次メディアデータ」は、メディアコンテンツを提供または搬送する情報である。例えば、１次メディアデータは、任意の手段で搬送されるビデオデータ、音声データ、画像データおよび／またはテキストデータを含むが、これだけに限定されるものではない。この説明では、「関連データ」は、１次メディアデータに何らかの形で関係する追加情報のソースに導く、またはそのソースを指示する任意形式の情報である。例えば、関連データは、ウェブページへのリンク、ネットワークアドレス、コンピュータアプリケーション、コンピュータファイル、電子メールのメッセージ、テキストメッセージ、音声メッセージ、データ列を含むことができるが、これだけに限定されるものではない。
【００１６】
ビデオデータには、衛星、ケーブル、無線地上波信号などによって搬送することができるテレビデータ、ＤＶＤ（デジタル多用途ディスク）や他の光ディスク、または磁気ディスクドライブなどの記憶媒体に記憶されたビデオ情報、インターネットなどの通信ネットワークを介して搬送されるビデオ情報、Ｓｏｎｙ  ＪｕｍｂｏＴｒｏｎ（商標）スクリーンなどの大型ビデオ表示画面上に表示されるビデオ情報、および映画館で映写されるビデオ情報が含まれる。ビデオデータは、ＭＰＥＧ−４、Ｓｏｒｅｎｓｏｎ  ３、Ｔｈｅｏｒａ、Ｗｉｎｄｏｗｓ  Ｍｅｄｉａ  Ｖｉｄｅｏなど、多数の形式のうちの任意の形式に符号化することができる。
【００１７】
音声データには、衛星、ケーブル、無線地上波信号などによって搬送することができるラジオデータ、ＣＤ（コンパクトディスク）や他の光ディスク、または磁気ディスクドライブなどの記憶媒体に記憶された音声情報、コンサートやスポーツイベントなどのライブメディアイベントで提供される音声情報、映画サウンドトラックの音声情報、およびインターネットなどの通信ネットワークを介して搬送される音声情報が含まれる。音声データは、ＭＰ３、Ｄｏｌｂｙ  Ｄｉｇｉｔａｌ、ＤＴＳ、Ｗｉｎｄｏｗｓ  Ｍｅｄｉａ  Ａｕｄｉｏなど、多数の形式のうちの任意の形式に符号化することができる。
【００１８】
図１に示すように、システム１０は、１次メディアデータを提供または搬送するメディアデータソース１２を含む。好ましい実施形態では、メディアデータソース１２は、衛星テレビサービスプロバイダ、ケーブルテレビサービスプロバイダ、地上波テレビ放送局、衛星ラジオサービスプロバイダ、有線ラジオサービスプロバイダ、地上波ラジオ放送局、インターネット、パーソナルコンピュータのデジタルメディアプレイヤ、ＤＶＤプレイヤ、ＣＤプレイヤ、ＭＰ３プレイヤ、デジタルテーププレイヤ、コンピュータのハードドライブ、光ディスクドライブまたは映画サウンドトラックである。当然のことながら、本発明のメディアデータソース１２は、上記に挙げたデバイスまたはソースに限定されない。メディアデータソース１２は、矢印１４で示すメディアデータストリームを生成または搬送する。好ましい実施形態では、メディアデータストリーム１４は、１次メディアデータおよび関連データを一緒に運ぶ。代替実施形態では、関連データの一部またはそのすべてが、メディアデータストリーム１４とは別のチャネルまたはパスを介して搬送される。
【００１９】
図１を引き続き参照すると、システム１０は、メディアデータソース１２によって提供されるメディアデータストリーム１４を受信する関連データアクセスデバイス１６を含む。本発明の好ましい実施形態では、関連データアクセスデバイス１６は、メディアデータストリーム１４内に、または関連するチャネル内にある関連データにアクセスする。特定の実施形態に関連して以下でより詳しく説明するように、関連データアクセスデバイス１６は、関連データがあることを検出し、その関連データをメディアデータストリーム１４または他のチャネルから抽出またはコピーし、その関連データを復号し（必要な場合）、その関連データを関連データアクセスデバイス１６内のメモリに書き込む。様々な実施形態では、関連データアクセスデバイス１６は、衛星テレビ受信機、地上波テレビ受信機またはケーブルテレビ受信機（そのどれも本明細書では「セットトップボックス」（ＳＴＢ）と呼ぶこともある）の構成要素、パーソナルコンピュータのテレビ受信カードの構成要素、デジタルビデオレコーダの構成要素、衛星ラジオ受信機、地上波ラジオ受信機または有線ラジオ受信機の構成要素、携帯電話もしくはＰＤＡなどの無線移動通信デバイスの構成要素、またはＤＶＤプレイヤ、ＣＤプレイヤもしくは他のデジタルメディアプレイヤの構成要素である。
【００２０】
本発明の好ましい実施形態では、関連データアクセスデバイス１６が、メディアデータストリーム１４内の１次メディアデータを復号および処理してメディア情報信号１８を生成する。メディア情報信号１８は、ビデオおよび／または音声情報コンテンツ形式の１次メディアプログラムを１次データ提示デバイス２０に運び、この１次データ提示デバイス２０は１次メディアプログラムをメディアの受け手に提示する。諸代替実施形態では、関連データアクセスデバイス１６は、関連データにアクセスした後、この１次メディアデータを変更せずに通過させる。これらの実施形態では、１次データ提示デバイス２０が１次メディアデータを復号および処理する。
【００２１】
関連データアクセスデバイス１６は、関連データを、データリンク２４ａを介して関連データ受信デバイス２２ａに提供する。本発明の一部の実施形態は、図１に示す追加のデバイス２２ｂおよびデータリンク２４ｂなど、２つ以上の関連データ受信デバイスおよび関連データ受信デバイスへのデータリンクを含む。本発明の好ましい実施形態では、関連データ受信デバイス２２ａおよび２２ｂはそれぞれ、パーソナルコンピュータ、ラップトップコンピュータ、サーバコンピュータ、ＰＤＡ（携帯情報端末）、携帯電話や他の無線通信デバイス、またはこれらのデバイスのうちの任意のデバイスの構成要素を含む。概して、関連データ受信デバイス２２ａおよび２２ｂの機能は、関連データアクセスデバイス１６から関連データを受信することと、その関連データが示す１つまたは複数のロケーションにある補足的情報にアクセスすることと、メディアの受け手にその補足的情報を提示することとを含む。
【００２２】
この説明では、「補足的情報」は、１次メディアデータと何らかの形で関係する、関連データが指示するまたは導く対象の任意形式の情報である。例えば、補足的情報は、ウェブページ、コンピュータアプリケーション、電子メールメッセージ、ビデオデータファイル、音声データファイル、テキストデータファイル、テキストメッセージ、音声メッセージまたは画像データファイルを含むが、これだけに限定されるものではない。補足的情報の様々な例を以下でより詳しく示す。
【００２３】
図１の実施形態では、メディアデータソース１２、関連データアクセスデバイス１６および関連データ受信デバイス２２ａ、２２ｂは、インターネットなどの広域通信ネットワーク２８と通信状態にある。
【００２４】
一部の実施形態では、関連データアクセスデバイス１６は、（１）関連データアクセスデバイス１６とメディアデータソース１２との間のネットワーク接続２４ｃ、（２）メディアデータソース１２と通信ネットワーク２８との間のネットワーク接続２４ｄおよび（３）通信ネットワーク２８と関連データ受信デバイス２２ａとの間のネットワーク接続２４ｆからなる間接通信リンクを介して、関連データ受信デバイス２２ａと通信することができる。好ましい実施形態では、ネットワーク接続２４ｃは、１次メディアデータ１４と同じ通信コンジット上で提供される。例えば、メディアデータソース１２がケーブルテレビプロバイダである場合、接続２４ｃとケーブルテレビデータ１４とは、同じ物理同軸ケーブルまたは光ファイバを介して提供することができる。
【００２５】
一部の実施形態では、関連データアクセスデバイス１６は、（１）関連データアクセスデバイス１６と通信ネットワーク２８との間のネットワーク接続２４ｅ、および（２）通信ネットワーク２８と関連データ受信デバイス２２ａとの間のネットワーク接続２４ｆからなる間接通信リンクを介して、関連データ受信デバイス２２ａと追加的にまたは代替的に通信することができる。
【００２６】
同様に、関連データアクセスデバイス１６と関連データ受信デバイス２２ｂとの間にも、ネットワーク接続２４ｇを含む様々な代替接続オプションがある。
【００２７】
本発明の一部の好ましい実施形態では、２４ａ〜２４ｇのリンクは、ＷｉＦｉリンク（ＩＥＥＥ  ８０２．１１）、Ｂｌｕｅｔｏｏｔｈリンク（ＩＥＥＥ  ８０２．１５．１）、セルラリンク（ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）など）、赤外線シリアルリンク、などの無線データリンクである。他の好ましい実施形態では、２４ａ〜２４ｇのリンクは、ＵＳＢ（ユニバーサルシリアルバス）、ＰＣＩ（周辺装置相互接続）バス、ＬＡＮ（ローカルエリアネットワーク）、インターネットなどのＷＡＮ（広域ネットワーク）、などを介した有線リンクである。
【００２８】
一部の好ましい実施形態では、関連データ受信デバイス２２ａは、単に関連データをメモリ中に記憶し、その関連データを、直接データリンク３０を介して、または通信リンク２４ｆおよび２４ｇならびに通信ネットワーク２８を介して別の関連データ受信デバイス２２ｂに伝える。第２の関連データ受信デバイス２２ｂは、上述の第１の関連データ受信デバイス２２ａの機能の一部またはすべてを実行することができ、好ましい実施形態では、この第２の関連データ受信デバイス２２ｂは、パーソナルコンピュータ、ラップトップコンピュータ、サーバコンピュータ、ＰＤＡ（携帯情報端末）、携帯電話や他の無線通信デバイス、またはこれらのデバイスのうちの任意のデバイスの構成要素を含む。直接データリンク３０は、ＷｉＦｉリンク、Ｂｌｕｅｔｏｏｔｈリンク、セルラリンク、赤外線シリアルリンク、などの無線データリンクとすることができる。あるいは、直接リンク３０は、ＵＳＢリンク、ＰＣＩバス、ＬＡＮリンク、ＷＡＮリンク、などの有線接続とすることができる。
【００２９】
図１に示すように、１次データ提示デバイス２０は、関連データアクセスデバイス１６から１次メディア情報１８を受信する。関連データアクセスデバイス１６が１次メディアデータを復号および処理する好ましい実施形態では、１次データ提示デバイス２０は、テレビ表示デバイス、音声受信機／増幅器およびスピーカシステム、コンピュータの液晶ディスプレイ画面、ＰＤＡや携帯電話、映画の投影機、デジタル投影機または大型ビデオ表示デバイスを含む。関連データアクセスデバイス１６が１次メディアデータを通過させる実施形態では、１次データ提示デバイス２０は、１次メディア情報を、テレビ表示デバイス、音声受信機／増幅器およびスピーカシステム、液晶ディスプレイ画面、映画の投影機、デジタル投影機または大型ビデオ表示デバイスへの入力と互換性のある形式で提供するために必要な、復号および処理構成要素を含む。
【００３０】
本発明の一部の実施形態では、関連データアクセスデバイス１６、関連データ受信デバイス２２ａおよび１次データ提示デバイス２０は、パーソナルコンピュータ、ラップトップコンピュータ、ＰＤＡ、携帯電話など、単一のメディア提示デバイスの構成要素である。そのような実施形態については、以下でより詳しく説明する。
【００３１】
図２は、図１に示す本発明の実施形態を使用してメディアデータソースからのメディア情報をメディアの受け手に転送するための方法を示す。この方法は、メディアデータソース１２から、テレビ、映画、ラジオ、音楽またはライブイベントのデータを含むメディアデータストリーム１４を受信するステップを含む（ステップ１０２）。メディアデータストリーム１４内の関連データは、関連データアクセスデバイス１６を使用してアクセスされ（ステップ１０４）、この関連データは第１の関連データ受信デバイス２２ａに提供される（ステップ１０６）。本発明の一部の実施形態では、この関連データは、例えばこの関連データを第１の関連データアクセスデバイス２２ａからデータリンク３０を介して転送することにより、第２の関連データ受信デバイス２２ｂに提供することもできる（ステップ１０８）。この関連データに基づいて、ネットワークアドレスなど、補足的情報のロケーションが特定される（ステップ１１０）。次いで、この補足的情報は、例えば第１の関連データ受信デバイス２２ａや第２の関連データ受信デバイス２２ｂなどによってアクセスされ（ステップ１１２）、この補足的情報がメディアの受け手に提示される（ステップ１１６）。このプロセスの間のどこかの時点で、テレビ、映画、ラジオ、音楽、ライブイベントのコンテンツなどの１次メディアコンテンツも、１次データ提示デバイス２０によってメディアの受け手に提示される（ステップ１１４）。
【００３２】
図２の方法の一実施形態を図３に示す。この実施形態では、この方法は、衛星テレビプロバイダやケーブルテレビプロバイダ、ＤＶＤプレイヤ、デジタルテーププレイヤ、コンピュータメディアプレイヤなどのビデオデータソース１２から、ＭＰＥＧ−２やＭＰＥＧ−４ビデオストリームなどのビデオデータストリーム１４を受信するステップを含む（ステップ１１８）。ビデオデータストリーム１４に組み込まれたＵＲＬ（ユニフォームリソースロケータ）が、関連データアクセスデバイス１６を使用してアクセスされ（ステップ１０２）、このＵＲＬはパーソナルコンピュータ２２ａに提供される（ステップ１２２）。このＵＲＬに基づいて、補足的情報データファイルのネットワークアドレスが特定される（ステップ１２４）。次いで、ＨＴＭＬ（ハイパーテキストマークアップ言語）ファイル、ビデオファイル、音声ファイルなどの補足的情報データファイルが、示されたアドレスにおいてアクセスされ（ステップ１２６）、パーソナルコンピュータ２２ａに提供され、ここでこの補足的情報がメディアの受け手に提示される（ステップ１３０）。このプロセスの間のどこかの時点で、テレビ番組、映画、他のビデオ番組などの１次メディアコンテンツも、ビデオ表示デバイス２０を使用してメディアの受け手に提示される（ステップ１２８）。
【００３３】
図２の方法の別の実施形態を図４に示す。この実施形態では、この方法は、衛星テレビプロバイダやケーブルテレビプロバイダ、ＤＶＤプレイヤ、コンピュータメディアプレイヤなどのビデオデータソース１２から、ＭＰＥＧ−２やＭＰＥＧ−４ビデオストリームなどのビデオデータストリーム１４を受信するステップを含む（ステップ１３２）。図３の実施形態のように、ビデオデータストリーム１４に組み込まれたＵＲＬが、関連データアクセスデバイス１６を使用してアクセスされる（ステップ１３４）。しかし、図４の実施形態では、このＵＲＬはパーソナルコンピュータに提供されない。むしろ、このＵＲＬは、補足的情報データファイルのネットワークアドレスを特定するために関連データアクセスデバイス１６によって処理される（ステップ１３６）。次いで、ＨＴＭＬファイルやビデオファイルなどの補足的情報データファイルが、示されたアドレスにおいてアクセスされ（ステップ１３８）、ビデオ表示デバイス２０上でメディアの受け手に提示される（ステップ１４２）。このプロセスの間のどこかの時点で、１次ビデオコンテンツも、同じビデオ表示デバイス２０上でメディアの受け手に提示される（ステップ１４０）。
【００３４】
図４の方法は、ビデオクリップや音楽クリップなどの１次メディアデータが、携帯電話または無線ＰＤＡデバイスによって受信され、そのビデオクリップや音楽クリップ内に符号化されたＵＲＬに携帯電話またはＰＤＡ内の回路がアクセスし、そのＵＲＬを使用して携帯電話またはＰＤＡがそのビデオクリップや音楽クリップに関係するウェブページにアクセスする実施形態を含む。図４の方法は、１次メディアデータが、パーソナルコンピュータ上のメディアプレイヤアプリケーションを使用して再生されるメディアデータファイルであり、そのメディアデータファイル内に符号化されたＵＲＬにコンピュータ上で実行されるアプリケーションがアクセスし、コンピュータがそのＵＲＬを使用してそのメディアデータファイルのコンテンツに関係するウェブページにアクセスする実施形態も含む。
【００３５】
図５Ａは、１次メディアコンテンツがテレビ番組である、本発明の好ましい実施形態を示す。この実施形態では、メディアデータソース１２は、ケーブルテレビサービスプロバイダや衛星テレビサービスプロバイダなどのテレビメディアデータプロバイダ１２である。この実施形態の関連データアクセスデバイス１６は、テレビ／コンピュータインターフェース１６を含み、関連データ受信デバイスはパーソナルコンピュータ２２ａを含み、１次データ提示デバイスはテレビ表示デバイス２０を含む。
【００３６】
図６は、本発明の好ましい実施形態による、セットトップボックスに含むことができるテレビ／コンピュータインターフェース１６の構成要素を示す。テレビ／コンピュータインターフェース１６は、テレビメディアデータソース１２からデジタルメディアストリーム１４を受信するデータ抽出器３４を含む。この実施形態のデータ抽出器３４の目的は、メディアデータストリーム１４から関連データを抽出またはコピーし、その関連データをコンピュータ２２ａに提供することである。
【００３７】
関連データは、１次テレビ番組のソースを、またはビデオデータを生成または符号化するために使用した特定のタイプのソフトウェアを識別するためなど、様々な目的でデジタルメディアストリーム１４内にあることができる。前に言及したように、関連データは、１次テレビ番組で示される製品やサービスについての情報を消費者に提供するために使用することもできる。
【００３８】
この関連データは、デジタルメディアストリーム１４の「ユーザデータ」セクション内に組み込むことができる。以下でより詳しく説明するように、データ抽出器３４は、符号化されたデジタルメディアストリーム１４を監視し、ユーザデータセクションの開始を「リッスン」する。ユーザデータセクションが検出されると、データ抽出器３４は符号化されたデータストリーム１４から関連データをコピーし、それをインターフェース制御部４４に渡す。インターフェース制御部４４は、データ抽出器３４からのコピーされたデータを、リンク２４ａを介してコンピュータ２２ａに送信する。一部の実施形態では、インターフェース制御部４４は関連データから画像データを抽出し、それをグラフィックス制御部３８に送信する。デジタルメディアストリーム１４がデータ抽出器３４を通過する際に関連データがデジタルメディアストリーム１４からコピーされるが、テレビ／コンピュータインターフェース１６に入るデジタルメディアストリーム１４は、好ましくは実質的に変更されずにデータ抽出器３４を通過する。
【００３９】
本発明の好ましい実施形態では、データ抽出器３４は、デジタルメディアデータストリーム１４に接続されたリスニングポートとして機能する。図７に示すように、データ抽出器３４は、デジタルメディア信号内に一連の関連データがあるかどうかデータストリーム１４を監視するデータ抽出器プロセッサ６０を含む。データ抽出器３４は、プログラム命令を記憶するためのＲＯＭ（読み取り専用メモリ）６２と、データを一時的に記憶するためのＲＡＭ（読み書き可能メモリ）６４とをさらに含む。
【００４０】
データ抽出器３４の動作を説明するための背景を提供するために、ＭＰＥＧ−２データストリームのデータ形式を、典型的な１６進形式のＭＰＥＧ−２データを表す図８を参照してまず説明する。図８に示すように、ＭＰＥＧ−２データストリームは、データストリームの様々な部分の始まりを示すいくつかの異なる「開始コード」を含むことができる。ＩＳＯ／ＩＥＣ  １３８１８−２に規定されるデジタルビデオ向けのＭＰＥＧ−２標準によると、開始コードは、ビデオストリーム内に他の形では現れない特定のビットパターンである。各開始コードは、開始コードプレフィックスと、それに続く開始コード値からなる。
【００４１】
ＭＰＥＧ−２標準によると、この開始コードプレフィックスは、値が０の２３ビットと、それに続く値が１の１ビットの列である。よって、開始コードプレフィックスは、「００００  ００００  ００００  ００００  ００００  ０００１」（１６進では００００  ０１）のビット列である。開始コードプレフィックスの直後に続くのが、開始コード値である。この開始コード値は、開始コードのタイプを識別する８ビット整数である。ほとんどのタイプの開始コードは、開始コード値を１つだけ有する。
【００４２】
ＭＰＥＧ−２ストリームの「ユーザデータ」部分の開始コード値は、１６進で「ｂ２」である。したがって、図８に示すように、ユーザデータ開始コードの１６進値は「００００  ０１ｂ２」である。このユーザデータは、ユーザデータ開始コードに続き、ストップコード（または次の開始コード）の前に来る、データストリーム内のすべてのデータを含む。このユーザデータセクションは、任意の長さとすることができる。図８の例では、ユーザデータは、「２１５３  ８８４６  ８４６８  １ｄ４ｅ  ３５６ａ」列を含む。
【００４３】
ＳＭＰＴＥ登録機関（ＳＭＰＴＥ  Ｒｅｇｉｓｔｒａｔｉｏｎ  Ａｕｔｈｏｒｉｔｙ、ＬＬＣ）は、現在、国際標準化機構（ＩＳＯ）によってＭＰＥＧ−２形式識別子を登録することを許可されている。ＭＰＥＧ−２標準の登録記述子はＩＳＯ  １３８１８−１によって定められ、データの形式が必ずしも認められた国際標準でない場合にもＭＰＥＧ−２標準のユーザがそのデータを明確に運べるようにする。この定めは、ＭＰＥＧ−２ビデオトランスポート標準が、基にあるプライベートデータの特徴を明確に識別する方法を提供しながら、様々なタイプのデータを運べるようにする。
【００４４】
ＳＭＰＴＥに登録されているエンティティには、ビデオストリーム内で認識可能な固有のコードが割り当てられる。この登録コードを使用して、登録されたエンティティは、ビデオデータストリームのユーザデータセクション内に特定の関連データを組み込むことができる。この登録コードは、関連データを探し出し、抽出するために使用することもできる。
【００４５】
図７を参照すると、データ抽出器プロセッサ６０は、ＲＯＭ６２中に記憶されたプログラム命令に基づいて、ＭＰＥＧ−２データストリーム内のユーザデータ開始コード（００００  ０１Ｂ２）をリッスンする。ユーザデータ開始コードが検出されると、プロセッサ６０は、ＲＯＭ中のプログラムの別のセクションにジャンプし、適切な登録コードを求めてリスニングを開始する。登録コードが検出されると、プロセッサ６０は、ストップコードが検出されるまで、すべての先行するデータをＲＡＭ６４中にコピーし始める。プロセッサ６０は、ＲＡＭ６４中に保存されたデータをインターフェース制御部４４に転送する。次いで、プロセッサ６０は動作初期状態に戻り、次のユーザデータ開始コードを求めてリスニングを開始する。
【００４６】
ビデオストリームがデータ抽出器３４を通過した後、ＭＰＥＧ−２復号器やＭＰＥＧ−４復号器などの復号器３６が、デジタルメディアストリームを純粋なデジタルの輝度／色（Ｙ／Ｃ）信号に復号する。本発明の一部の実施形態では、復号されたメディア信号はグラフィックス制御部３８に提供され、このグラフィックス制御部３８は、そのように命令されている場合はメディアストリームデータをコンピュータ２２ａからのグラフィックスデータと組み合わせる。最後に、この場合もやはり、使用されているテレビ／コンピュータインターフェース１６のアプリケーションおよびテレビ表示デバイス２０のタイプに応じて、デジタルメディア信号をビデオインターフェース４０内で１つまたは複数のアナログ信号に変換することができる。したがって、本発明の特定の実施形態により、テレビ表示デバイス２０に提供される信号は、コンポーネントビデオ、コンポジットビデオ、ＤＶＩ（デジタルビジュアルインターフェース）、ＨＤＭＩ（高品位マルチメディアインターフェース）または他のビデオ形式やマルチメディア形式とすることができる。
【００４７】
図９は、コンピュータインターフェース制御部５０、プロセッサ５２、ハードドライブ５４、メモリ５６、通信ネットワークインターフェース５８、ビデオグラフィックスカード６０および表示デバイス６２を備える、コンピュータ２２ａの好ましい実施形態を示す。インターフェース制御部５０は、ローカルエリアネットワークインターフェースカード、ＵＳＢコントローラ、またはＰＣＩバスなどのアドレス／データバスとすることができる。インターフェース制御部５０は、テレビ／コンピュータインターフェース１６とプロセッサ５２との間のデータインターフェースを提供する。
【００４８】
プロセッサ５２は、ハードドライブ５４とメモリ５６とを使用して、受信した関連データのタイプに応じてテレビ／コンピュータインターフェース１６からの関連データを処理する。関連データが、インターネットを介してアクセス可能なウェブページへのリンクである場合、プロセッサ５２は、ブラウザソフトウェアを使用して、ネットワークインターフェース５８を介してその要求されたウェブページを取得する。ウェブページグラフィックスがコンピュータ表示デバイス６２上に表示される好ましい実施形態では、プロセッサ５２がリンクデータに基づいてウェブページグラフィックス命令データを生成し、そのグラフィックス命令データをコンピュータのビデオカード６０に提供する。
【００４９】
図７に示すように、インターフェース制御部４４は、制御デバイスインターフェース４２、データ抽出器３４およびグラフィックス制御部３８と通信状態にあるインターフェース制御部プロセッサ８４を含む。制御デバイスインターフェース４２およびデータ抽出器３４は、ＲＯＭ８６中に記憶された命令に基づいてデータに対して動作するプロセッサ８４にデータを提供する。これらの命令は、コンピュータ２２ａ上で実行されるソフトウェアが理解できる形式で関連データをネットワークインターフェースカード（ＮＩＣ）９０およびコンピュータ２２ａに送信できるように、プロセッサ８４がどのように関連データを修正するのかを決定する。関連データが適切に修正された後、その関連データは、ＮＩＣ９０に送信されるまでＲＡＭ８８に記憶される。
【００５０】
一部の好ましい実施形態では、インターフェース制御部４４のプロセッサ８４は、関連データからテキスト文字列を抽出し、そのテキスト文字列を、表示デバイス２０上で表示されるビデオに挿入されるように、グラフィックス制御部３８に渡す。さらにプロセッサ８４は、関連データをネットワークインターフェースカード９０およびリンク２４ａを介してコンピュータ２２ａに渡す役割も果たす。一部の実施形態では、インターフェース制御部４４は、関連データをコンピュータ２２ａに渡す前に制御デバイス４６からの命令を待つ。他の実施形態では、インターフェース制御部４４は、関連データをデータ抽出器３４から受信するときはいつでも自動的にその関連データをコンピュータ２２ａに渡す。
【００５１】
好ましくは、これらの動作は、逆の順序でも実質的に同じように機能する。ＮＩＣ９０がネットワークリンク２４からデータを受信すると、ＮＩＣ９０はそのデータをプロセッサ８４に送信する。次いでプロセッサ８４は、ＲＯＭ８６からの命令を使用して、そのデータをグラフィックス制御部３８に送信するためにそのデータを適切に修正する。次いで、その修正されたデータは、グラフィックス制御部３８に転送される適切なときまでＲＡＭ８８中に記憶される。
【００５２】
図７に示すように、グラフィックス制御部３８は、グラフィックスを生成し、そのグラフィックスをデジタルメディアストリーム内に同期的に組み込むためのシステムを提供する。本発明の好ましい実施形態では、グラフィックス制御部３８は、関連するＲＡＭ６８およびＲＯＭ７０を有するデジタルスイッチング制御部６６、データスイッチ７２、グラフィックスカード７４、関連するＲＡＭ７８およびＲＯＭ８０を有するグラフィックスプロセッサ７６およびデジタルビデオ符号器８２を含む。
【００５３】
一実施形態では、デジタルスイッチング制御部６６は、インターフェース制御部４４から命令を受信し、それらの命令をグラフィックス命令と組込み命令とに分ける。デジタルスイッチング制御部６６は、グラフィックス命令をグラフィックスカード７４に転送し、組込み命令をＲＡＭ６８中に保存する。デジタルスイッチング制御部６６は、データ抽出器３４を通過するデジタルメディア信号を、好ましくはデータ抽出器３４がデジタルメディア信号１４を監視するのと同じ形で監視する役割も果たす。デジタルスイッチング制御部６６は、スイッチ７２をアクティブにしてグラフィックスをデータストリーム内に組み込ませるためのストリーム内の適切な位置を求めてデジタルメディア信号を監視する。この組込み位置は、ＲＡＭ６８中に記憶されていた組込み命令に基づいて決定される。通常モードでは、スイッチ７２は、デジタルメディア信号を変更されない状態で通過させる。スイッチ７２がデジタルスイッチング制御部６６から適切な命令を受信すると、スイッチ７２は、グラフィックスプロセッサ７６中で作成されたグラフィックスがビデオストリーム内に同期的に挿入される、グラフィックス挿入モードで動作する。好ましい実施形態では、この同期スイッチングは、スイッチ７２中のスイッチング論理ゲートを使用して実現される。同様のスイッチング方式の一例は、番組案内グラフィックスを入力のビデオ番組信号とともにビデオ信号内に挿入するためにケーブルセットトップボックスや衛星セットトップボックスで使用される方式である。
【００５４】
好ましい実施形態では、グラフィックスカード７４は、パーソナルコンピュータで使用されるグラフィックスカードと同じように動作する。グラフィックスカード７４は、デジタルスイッチング制御部６６からグラフィックス命令を受信し、グラフィックス命令の形式は、そのような命令がパーソナルコンピュータによって提供されるであろう形式と同じまたは極めて類似の形式である。
【００５５】
デジタルスイッチング制御部６６からのグラフィックス命令に基づいて、グラフィックスカード７４は、グラフィックスプロセッサ７６が自らのＲＡＭ７８にコピーするグラフィックスデータを出力する。次いで、グラフィックスプロセッサ７６は、グラフィックスデータをデジタルメディア信号内に組み込むときを示す、デジタルスイッチング制御部６６からの信号を待つ。デジタルスイッチング制御部６６が、グラフィックスデータを組み込むときであることをグラフィックスプロセッサに知らせる場合、デジタルスイッチング制御部６６は、グラフィックスプロセッサ７６に、どれ位の量のデータを組み込むのかを知らせるか、またはグラフィックスプロセッサ７６に、いつ止めるのかを知らせる。グラフィックスプロセッサ７６がグラフィックスデータを組み込むように命令された場合、グラフィックスプロセッサ７６は、そのデータを適切なビデオ形式に変換するデジタルビデオ符号器８２にそのデータを出力する。例えば、グラフィックスカード７４が、グラフィックスデータをＲＧＢ形式で作成した場合、デジタルビデオ符号器８２は、そのデータをデジタルビデオ輝度／色（Ｙ／Ｃ）形式に変換する。次いで、デジタルビデオ符号器８２は、グラフィックスデータをデジタルメディア信号内に組み込むスイッチ７２にそのデータを出力する。
【００５６】
図１０Ａは、図６の実施形態によって生成されたテレビ画面グラフィックスの一例を示す。Ａｐｐｌｅ  ＩＰｏｄ用のテレビ広告２００を表すビデオデータストリームを受信しながら、データ抽出器３４は、「ｉＰｏｄを購入」というテキストフレーズを含む、ビデオデータストリーム内の関連データを検出およびコピーする。この関連データに基づいて、グラフィックス制御部３８が同じテキストフレーズのグラフィックス表現を生成し、生成したそのグラフィックス表現を前述のようにデジタルメディア信号内に組み込む。その結果、「ｉＰｏｄを購入」のグラフィックス表現２０２が、テレビ広告２００用の１次ビデオ情報とともにテレビ画面２０上に表示される。
【００５７】
この例では、データ抽出器３４によって検出された関連データは、消費者がさらなる情報を入手するおよび／またはｉＰｏｄを購入することができるウェブページを指示するリンク情報も含む。この例では、関連データは、ＵＲＬまたはＩＰアドレスとして提供することができる。好ましい実施形態では、関連データが自動的にコピーされ、インターフェース制御部４４に送信され、このインターフェース制御部４４は、リンク２４ａを介してコンピュータ２２ａにそのデータを提供する。
【００５８】
図６に示すように、関連データを、Ｂｌｕｅｔｏｏｔｈ送信機などの送信機４５を介して、送信機４５の通信範囲内にある無線通信デバイス２２ｂに代替的にまたは追加的に無線で送信することができる。次いで、携帯電話、ＰＤＡ、ラップトップコンピュータなどの無線通信デバイス２２ｂを使用して、その関連データが指示する補足的情報にアクセスすることができる。
【００５９】
図１０Ａを再び参照すると、ユーザが、テキストグラフィックス２０２が表示されるのを見た場合、これは、広告された製品に関する補足的情報が入手可能であることをそのユーザに知らせるものである。その補足的情報にアクセスするには、ユーザは遠隔制御デバイス４６（図６）のボタンを押してインターフェース制御部４４をアクティブにしてコンピュータ２２ａに要求信号を送信する。この要求信号に応答して、コンピュータ２２ａは、そのＵＲＬが示すウェブページにアクセスするためにブラウザアプリケーションを実行する。例えば、そのウェブページは、テレビ広告主のコンピュータシステム２２ｂ（図５Ａ）のサーバコンピュータ上に記憶されていることもある。次いで、図１０Ｂに示すように、ウェブページ２０６がコンピュータ２２ａの表示デバイス６２（図９）上に表示される。代替実施形態では、ユーザは、カーソル２０４の位置を決めて、コンピュータ２２ａに要求信号を送信するようにインターフェース制御部４４をアクティブにするテキストグラフィックス２０２（図１０Ａ）をクリックするために、マウス、タッチパッドまたはリモコンを使用することができる。
【００６０】
図１１は、１次メディアコンテンツが、デジタル音楽ファイルやデジタルラジオストリームなどからの音声番組である、本発明の好ましい実施形態を示す。この実施形態では、メディアデータソース１２は、衛星ラジオサービスプロバイダ、ネットワークを介して転送されるデジタル音楽ファイル、ＣＤやハードドライブからアクセスされるデジタル音楽ファイルなどの音声メディアデータソース１２である。この実施形態の関連データアクセスデバイス１６は、衛星ラジオ受信機の構成要素、パーソナルコンピュータ内のカード、またはＣＤプレイヤ、ＭＰ３プレイヤもしくは他のデジタル音楽プレイヤの構成要素とすることができる。この実施形態の１次データ提示デバイス２０は、音声受信機／増幅器、およびスピーカやヘッドフォンなどの関連する音声再生デバイスを含む。図１１の例示的実施形態では、第１の関連データ受信デバイス２２ａは、ＷｉＦｉ、セルラ、Ｂｌｕｅｔｏｏｔｈ、赤外線リンクなどの無線リンク２４を介して関連データアクセスデバイス１６と無線通信状態にある、携帯電話、ＰＤＡ、ラップトップコンピュータなどの無線移動通信デバイスを含む。図１１の実施形態は、直接リンク３０を介して、または通信ネットワーク２８を介して無線移動通信デバイス２２ａと通信状態にある、パーソナルコンピュータなどの第２の関連データ受信デバイス２２ｂを含むこともできる。
【００６１】
図１２は、図１１に示した本発明の実施形態を使用して、音声データソースからの音声メディア情報をメディアの受け手に転送するための方法を示す。この実施形態では、この方法は、音声データソース１２からＭＰＥＧ音声ストリームやＭＰ３音声ストリームなどの音声データ１４受信するステップを含む（ステップ１４４）。音声データ１４に組み込まれたＵＲＬが、関連データアクセスデバイス１６を使用してアクセスされ（ステップ１４６）、このＵＲＬは無線移動通信デバイス２２ａに送信される（ステップ１４８）。このＵＲＬに基づいて、補足的情報データファイルのネットワークアドレスが特定される（ステップ１５２）。次いで、ウェブページ、ビデオファイル、他の音声ファイルなどの補足的情報データファイルが、示されたアドレスにおいてアクセスされ（ステップ１５４）、無線移動通信デバイス２２ａに提供され、ここでこの補足的情報がメディアの受け手に提示され（ステップ１５８）、または後でアクセスするためにメモリ中に記憶される。このプロセスの間のどこかの時点で、ラジオ番組、ポッドキャスト、音楽や他の音声番組などの１次音声コンテンツも、音声受信機／増幅器およびスピーカ２０によってメディアの受け手に提供される（ステップ１５６）。また、このプロセスの間のどこかの時点で、ＵＲＬデータを、通信リンク３０またはネットワーク２８を介して無線移動通信デバイス２２ａからパーソナルコンピュータ２２ｂに転送することもできる（ステップ１５０）。
【００６２】
図１３は、１次メディアコンテンツが、映画表現からの音声サウンドトラックである、本発明の好ましい実施形態を示す。この実施形態では、メディアデータソース１２は、映画サウンドトラックや他の磁気／光記憶媒体からアクセスされるデジタル音声ファイルなどの音声メディアデータソース１２である。この実施形態の関連データアクセスデバイス１６は、Ｄｏｌｂｙ  ＤｉｇｉｔａｌプロセッサやＤＴＳ（Ｄｉｇｉｔａｌ  Ｔｈｅａｔｅｒ  Ｓｙｓｔｅｍ）プロセッサなどの映画サウンドトラック処理デバイスの構成要素とすることができる。この実施形態の１次データ提示デバイス２０は、音声受信機／増幅器、および映画館のスピーカなどの関連する音声再生デバイスを含む。図１３の例示的実施形態では、第１の関連データ受信デバイス２２ａは、ＷｉＦｉ、セルラ、Ｂｌｕｅｔｏｏｔｈ、赤外線リンクなどの無線リンク２４ａを介して関連データアクセスデバイス１６と無線通信状態にある携帯電話、ＰＤＡ、ラップトップコンピュータなどの無線移動通信デバイスを含む。図１３の実施形態は、リンク３０またはネットワーク２８を介して無線移動通信デバイス２２ａと通信状態にある、パーソナルコンピュータなどの第２の関連データ受信デバイス２２ｂを含むこともできる。
【００６３】
図１２に示した方法は、図１３に示した本発明の実施形態を使用して１次映画サウンドトラック音声データおよび関連データを転送するための方法も表す。この実施形態では、この方法は、映画サウンドトラック１２からＤｏｌｂｙ  ＤｉｇｉｔａｌやＤＴＳ音声データなどの音声データ１４を受信するステップを含む（ステップ１４４）。音声データ１４に組み込まれたＵＲＬが、関連データアクセスデバイス１６を使用してアクセスされ（ステップ１４６）、このＵＲＬは無線移動通信デバイス２２ａに送信される（ステップ１４８）。このＵＲＬに基づいて、補足的情報データファイルのネットワークアドレスが特定される（ステップ１５２）。次いで、ウェブページ、ビデオファイル、他の音声ファイルなどの補足的情報データファイルが、示されたアドレスにおいてアクセスされ（ステップ１５４）、無線移動通信デバイス２２ａに提供され、ここでこの補足的情報がメディアの受け手に提示され（ステップ１５８）、または後でアクセスするためにメモリ中に記憶される。この関連データの処理と同時に、映画サウンドトラックも、音声受信機／増幅器および映画館のスピーカ２０によってメディアの受け手に提供される（ステップ１５６）。また、このプロセスの間のどこかの時点で、ＵＲＬデータを、通信リンク３０またはネットワーク２８を介して無線移動通信デバイス２２ａからパーソナルコンピュータ２２ｂに転送することもできる（ステップ１５０）。このプロセスのこの部分は、映画を見た人が家に帰り、関連データを無線デバイス２２ａからコンピュータ２２ｂにダウンロードした後に行われてもよい。
【００６４】
図１４は、１次メディアコンテンツが、大型ビデオ表示装置用のビデオ番組である、本発明の好ましい実施形態を示す。この実施形態の表示画面２０は、多くのスポーツ競技場、スタジアム、ニューヨーク市のタイムズスクエアのような公共の場などで使用されているＳｏｎｙ  ＪｕｍｂｏＴｒｏｎ（商標）スクリーンとすることができる。この実施形態の表示画面２０は、ショッピングモール、小売店、レストラン、スポーツバーなど、他の公共の場で使用される表示画面も含む。この実施形態のビデオデータ形式は、前述のビデオ形式のうちのどれでもよい。したがって、ライブイベントメディアデータソース１２は、コンピュータのハードドライブ、ＤＶＤディスク、デジタルビデオテープまたは他の任意のデジタルビデオソースを含むことができる。好ましくは、この実施形態の関連データアクセスデバイス１６は、図６を参照して上記で説明したデバイス１６とほぼ同じように機能する。しかし、この実施形態では、好ましい通信リンク２４は無線であり、好ましい関連データ受信デバイス２２ａは、Ｂｌｕｅｔｏｏｔｈ対応の携帯電話やＰＤＡなどの移動通信デバイスである。
【００６５】
図１４に示す本発明の実施形態は、スポーツイベントやコンサートなどのライブイベント中に使用することができる。そのようなイベントでは、コマーシャルや他の情報表現を、そのイベント会場内で見ることができる大型ビデオ表示デバイス２０上に表示することができる。これらの表現が表示されている間、１次ビデオデータストリーム１４から抽出された関連データが、イベント会場内に、またはその付近にある無線送信機４５（図６参照）を介して、その会場内の観客が持つ携帯無線デバイス２２ａに送信される。例えば、大学のフットボールの試合中に、ホームチームを宣伝するビデオ表現を表示デバイス２０上に表示することができる。その表現の間、観客をそのホームチームや大学に関する補足的情報に導く関連データが会場内で送信される。試合中に表示される別のビデオ表現は、近所のレストランを広告することができ、その関連データは、そのレストランへの道順および食べ物や飲み物の品目に対する割引用の専用コードとすることができる。
【００６６】
関連データは、会場内のすべての携帯電話に向けられたテキストメッセージとすることができ、そのテキストメッセージは専用コードを含み、観客は、そのコードを有する者のみが入手可能な情報にアクセスするためにそのコードを使用することができる。例えば、この関連データは、別の方法ではアクセスすることができないウェブページを指示するＵＲＬとすることができる。好ましい実施形態では、送信機４５からの送信はＢｌｕｅｔｏｏｔｈ送信であり、このＢｌｕｅｔｏｏｔｈ送信は会場内の、またはすぐ近くにあるＢｌｕｅｔｏｏｔｈ対応の電話、ＰＤＡまたは他のデバイスによってのみ受信され得る。本明細書で説明した他の実施形態と同様に、この関連データは、通信リンク３０またはネットワーク２８を介して無線移動通信デバイス２２ａからパーソナルコンピュータ２２ｂに送信することもできる。この送信は、イベントの観客が家に帰り、関連データを無線デバイス２２ａからコンピュータ２２ｂにダウンロードした後に行われてもよい。
【００６７】
図１５は、本発明のさらに別の実施形態による、１次メディアデータに関係する関連データへのアクセスを提供するための方法を示す。この方法は、本明細書で説明した本発明の実施形態のうちのいくつかによって実行することができるが、以下の説明は、図５Ｂの実施形態を対象にする。テレビ／コンピュータインターフェース１６などの関連データアクセスデバイスが、テレビメディアデータソースからテレビメディアデータストリーム１４を受信する（ステップ１６０）。テレビ／コンピュータインターフェース１６は、１次テレビ番組コンテンツ１８をテレビ表示デバイス２０に提供し、このテレビ表示デバイス２０上でこの番組がメディアの受け手に提示される（ステップ１６２）。テレビ／コンピュータインターフェース１６は、テレビデータストリームから「トリガ」データ列を抽出またはコピーする（ステップ１６４）。好ましい実施形態では、このトリガ列は、前述のようにＭＰＥＧストリームの「ユーザデータ」セクションに含まれる。
【００６８】
トリガ列が存在することに基づいて、テレビ／コンピュータインターフェース１６は、テレビ表示デバイス２０上、および／またはコンピュータ２２ａに関連する表示デバイス上に表示されるグラフィックアイコン、テキストまたはウィンドウを生成する（ステップ１６６）。このアイコンまたはウィンドウは、補足的情報が入手可能であることの表示をメディアの受け手に提供する。メディアの受け手が制御デバイス４６（図６）、またはコンピュータ２２ａに接続されたマウスを使用してアイコンをクリックした場合、要求列が生成され、テレビ／コンピュータインターフェース１６から、リンク２４ｅ、通信ネットワーク２８およびリンク２４ｇを介して、広告主に関連するコンピュータシステムなどの第三者コンピュータシステム２２ｂに向けて生成および送信される（ステップ１６８）。このステップ１６８の要求列は、リンク２４ｃおよび２４ｄ、通信ネットワーク２８ならびにリンク２４ｇを経由して第三者コンピュータシステム２２ｂに送信することもできる。この要求列は、トリガ列を含んだテレビ番組に関係する補足的データに対する要求を開始する。この要求はコンピュータシステム２２ｂによって処理され、コンピュータシステム２２ｂからメディアの受け手に応答が送信される（ステップ１７０）。好ましい実施形態では、この応答は、通信ネットワーク２８を介して、メディアの受け手の電子メールアドレスに関連する電子メールサーバ２２ｃに宛てられる電子メールメッセージの形をとる（ステップ１７２）。次いで、メディアの受け手は、コンピュータ２２ａを使用して、電子メールサーバ２２ｃ上にある電子メールメッセージにネットワーク２８を介してアクセスすることができる。この実施形態では、電子メールメッセージは、補足的情報および／またはメディアの受け手をウェブサイトで入手可能なさらなる補足的情報に導くＵＲＬなどの関連データを含む。
【００６９】
図５Ｂに示すように、本発明の一実施形態は、通信ネットワーク２８を介してパーソナルコンピュータ２２ａと通信することができるテレビ局のコンピュータシステム２７を含む。この実施形態のパーソナルコンピュータ２２ａは、関連データにアクセスするための専用アプリケーションを、テレビ局のコンピュータシステム２７からダウンロードすることができる。パーソナルコンピュータ２２ａでインストールおよび実行されると、この専用アプリケーションは、テレビメディアストリーム１４からアクセスされるトリガ列を使用して、テレビ局のコンピュータシステム２７上にある補足的情報へのリンクを提供する。この場合、補足的情報は、例えばその局のテレビ番組に関係するスケジュール情報を含むことができる。この実施形態は、関連データおよび補足的データが共通のソース、すなわちテレビ局から生じるが、これらのデータが、衛星テレビプロバイダやケーブルテレビプロバイダなどのテレビデータソース１２を経由する１次メディアデータと、通信ネットワーク２８を介したテレビ局のコンピュータシステム２７からの関連データと、の２つの異なる通信チャネルを経由して送られる状況を示す。
【００７０】
図５Ｂの実施形態は、本質的に、テレビプラットフォームとインターネットプラットフォームとの間にブリッジを作成する。この実施形態は、テレビの視聴者が、テレビから直接インターネット上の特定のサイトにジャンプできるようにする。この実施形態を使用して、広告主は、テレビのコマーシャル、インフォマーシャルおよびプロダクトプレイスメントを経由したウェブ上の情報へのリンクを作成することができる。さらにこの実施形態は、リンクされたインターネット上のメディアおよび情報を用いてテレビ番組やテレビコンテンツを向上させることにより、テレビ局がクロスプラットフォームの体験を作り出せるようにする。テレビ局は、さらにこれらのリンクを使用して、視聴者が次に何を見たいのかについての視聴者からの入力を受け取り、または対話型世論調査の投票を受け取ることもできる。例えば、図５Ｂの実施形態は、あるテレビ番組で次に何が起こるのを見たいのかについて、テレビ視聴者が投票できるようにするために使用することができる。例えば、テレビ番組が幾通りにも撮影されている場合があり、観客は、その番組が方向Ａに進んで欲しいのか、方向Ｂに進んで欲しいのかを投票することができる。その投票の結果に応じて、テレビ局は、クリップＡまたはクリップＢを放送することができる。この実施形態は、番組を視聴または録画するための電子メールやテキストメッセージによるリマインダを要求するために視聴者が使用することもできる。
【００７１】
この実施形態の電子メールサーバ２２ｃはさらに、本発明が大量の要求データを蓄積できるようにもする。例えば、サーバ２２ｃは、すべてのテレビチャネル上のすべてのリンク要求活動を保存および集約することができる。その後、このデータは、どれくらい多くの視聴者が見ている／見ていたのか、どの番組を見ていたのか、その番組にどれほど関心を持ったのかなど、多くの要素についての詳細な報告を作成するために使用することができる。
【００７２】
本発明の好ましい実施形態についての前述の記載は、例示と説明を目的として提示されている。これらの記載は網羅的なものでもなく本発明を開示した厳密な形態に限定するものでもない。上記の教示を鑑みて明らかな修正または改変が可能である。諸実施形態は、本発明の原理とその実際の応用を最もよく示し、それにより当業者が本発明を意図された特定の用途に適した様々な実施形態および様々な修正形態で利用できるようにするために選択され説明された。そのようなすべての修正形態および改変形態は、特許請求の範囲が公正、合法的、公平に権利を与えられる範囲にしたがって解釈されるとき、添付する特許請求の範囲によって決定される本発明の範囲内に含まれる。
【図１】
2010510723.tif 000003
【図２】
2010510723.tif 000004
【図３】
2010510723.tif 000005
【図４】
2010510723.tif 000006
【図５Ａ】
2010510723.tif 000007
【図５Ｂ】
2010510723.tif 000008
【図６】
2010510723.tif 000009
【図７】
2010510723.tif 000010
【図８】
2010510723.tif 000011
【図９】
2010510723.tif 000012
【図１０Ａ】
2010510723.tif 000013
【図１０Ｂ】
2010510723.tif 000014
【図１１】
2010510723.tif 000015
【図１２】
2010510723.tif 000016
【図１３】
2010510723.tif 000017
【図１４】
2010510723.tif 000018
【図１５】
2010510723.tif 000019
【手続補正書】
【提出日】平成21年7月16日(2009.7.16)
【手続補正１】
【補正対象書類名】特許請求の範囲
【補正対象項目名】全文
【補正方法】変更
【補正の内容】
【特許請求の範囲】
【請求項１】
メディアデータソースからのメディア情報をメディアの受け手に転送するための方法であって、
（ａ）前記メディアデータソースから、１次データおよび関連データを含むメディアデータストリームを受信するステップであって、前記１次データが１次メディア表現を含み、前記関連データが前記１次メディア表現に関係する補足的情報の可用性を示し、前記メディアデータストリームが関連データアクセスデバイスで受信されるステップと、
（ｂ）前記関連データアクセスデバイスから１次メディア提示デバイスに前記１次データを転送するステップと、
（ｃ）前記１次データに基づいて前記１次メディア表現を前記１次メディア提示デバイスで前記メディアの受け手に提示するステップと、
（ｄ）前記メディアデータストリーム内の前記関連データに前記関連データアクセスデバイスでアクセスするステップと、
（ｅ）前記関連データに基づいて前記補足的情報のロケーションを特定するステップと、
（ｆ）前記ステップ（ｅ）で特定された前記ロケーションにある前記補足的情報にアクセスするステップと、
（ｇ）前記１次メディア提示デバイスから物理的に分離し、前記１次メディア提示デバイスから離れたロケーションに設置することができる関連データ受信デバイスで前記補足的情報を前記メディアの受け手に提示するステップであって、前記１次メディア表現を前記１次メディア提示デバイスで提示する前記ステップが、前記関連データ受信デバイスで前記補足的情報を提示する前記ステップとは別々に行われるステップと
を含む方法。
【請求項２】
前記ステップ（ｄ）の後に、前記関連データを第１の関連データ受信デバイスに提供するステップをさらに含む、請求項１に記載の方法。
【請求項３】
前記関連データを前記第１の関連データ受信デバイスから第２の関連データ受信デバイスに転送するステップをさらに含む、請求項２に記載の方法。
【請求項４】
前記関連データを前記第１の関連データ受信デバイスに提供する前記ステップが、前記関連データを、ネットワーク接続を介して、サーバコンピュータ、パーソナルコンピュータ、ラップトップコンピュータ、携帯情報端末および無線通信デバイスからなるグループから選択される第１のコンピュータデバイスに提供するステップを含み、
前記関連データを前記第１の関連データ受信デバイスから前記第２の関連データ受信デバイスに転送する前記ステップが、前記関連データを、前記第１のコンピュータデバイスから、サーバコンピュータ、パーソナルコンピュータ、ラップトップコンピュータ、携帯情報端末および無線通信デバイスからなるグループから選択される第２のコンピュータデバイスに転送するステップを含み、
前記ステップ（ｅ）、（ｆ）および（ｇ）が前記第１のコンピュータデバイスまたは前記第２のコンピュータデバイスを使用して実行される、
請求項３に記載の方法。
【請求項５】
前記関連データを前記第１の関連データ受信デバイスに提供する前記ステップが、前記関連データを無線移動通信デバイスに送信するステップを含み、前記ステップ（ｅ）、（ｆ）および（ｇ）が前記無線移動通信デバイスを使用して実行される、請求項２に記載の方法。
【請求項６】
前記ステップ（ａ）が、テレビ番組サービスプロバイダから前記メディアデータストリームを受信するステップを含み、
前記ステップ（ｃ）が、テレビ表示デバイス上にテレビ番組を提示するステップを含む、
請求項１に記載の方法。
【請求項７】
前記ステップ（ａ）が、ラジオ番組サービスプロバイダから前記メディアデータストリームを受信するステップを含み、
前記ステップ（ｃ）が、オーディオデバイスを使用してラジオ番組を提供するステップを含む、
請求項１に記載の方法。
【請求項８】
前記ステップ（ａ）が、前記メディアデータストリームを、ＤＶＤ（デジタル多用途ディスク）プレイヤ、ＣＤ（コンパクトディスク）プレイヤおよびデジタル音楽プレイヤからなるグループから選択されるデジタルメディアプレイヤデバイスから受信するステップを含む、請求項１に記載の方法。
【請求項９】
前記ステップ（ａ）が、映画上映デバイスから前記メディアデータストリームを受信するステップを含み、
前記ステップ（ｃ）が、投影デバイスを使用して映画的特徴を映画館で上映するステップを含む、
請求項１に記載の方法。
【請求項１０】
前記ステップ（ａ）が、ライブイベントで使用される大型ビデオ表示デバイス用のビデオデータソースから前記メディアデータストリームを受信するステップを含み、
前記ステップ（ｃ）が、前記ライブイベントで前記大型ビデオ表示デバイス上にビデオ番組を上映するステップを含む、
請求項１に記載の方法。
【請求項１１】
前記ステップ（ｄ）が、前記メディアデータストリーム内の前記関連データを検出するステップと、前記関連データを復号するステップと、復号された関連データをメモリデバイスにコピーするステップとを含む、請求項１に記載の方法。
【請求項１２】
前記ステップ（ｄ）が、前記メディアデータストリーム内に符号化された１つまたは複数のＵＲＬ（ユニフォームリソースロケータ）データ列にアクセスするステップを含み、
前記ステップ（ｅ）が、前記１つまたは複数のＵＲＬ（ユニフォームリソースロケータ）データ列に少なくとも部分的に基づいて前記補足的情報のネットワークアドレスを特定するステップを含み、
前記ステップ（ｆ）が、前記ステップ（ｅ）で特定された前記ネットワークアドレスにある、前記補足的情報を含むデータファイルにアクセスするステップを含み、
前記ステップ（ｇ）が、前記メディアの受け手向けの補足的メディア表現を生成するために、前記補足的情報を含む前記データファイルを実行するステップを含む、
請求項１に記載の方法。
【請求項１３】
前記ステップ（ｄ）が、ネットワークを介してアクセス可能なリモートコンピュータの記憶デバイスに記憶された前記補足的情報の前記可用性を示す、前記メディアデータストリーム内の１つまたは複数のデータタグにアクセスするステップを含み、
前記ステップ（ｅ）が、前記１つまたは複数のデータタグに少なくとも部分的に基づいて、前記補足的情報のネットワークアドレスを特定するステップを含み、
前記ステップ（ｆ）が、前記ステップ（ｅ）で特定された前記ネットワークアドレスを少なくとも示す電子メールメッセージにアクセスするステップを含み、
前記ステップ（ｇ）が、前記ネットワークアドレスが示す、前記リモートコンピュータの記憶デバイスからの前記補足的情報にアクセスするステップとを含む、
請求項１に記載の方法。
【請求項１４】
１次データおよび関連データを含むメディアデータストリームに対して動作する装置であって、前記１次データが１次メディア表現を含み、前記関連データが前記１次メディア表現に関係する補足的情報の可用性を示し、前記補足的情報が１台または複数台のサーバコンピュータ上に配置され、通信ネットワークを介してアクセス可能である、装置において、
メディアデータソースから前記メディアデータストリームを受信するためのメディアデータストリーム入力、
前記メディアデータストリーム内の前記関連データにアクセスするための抽出回路、
前記関連データに基づく要求列を、前記通信ネットワークを介して前記１台または複数台のサーバコンピュータに出力するための第１の関連データ出力、および
前記１次データを１次データ提示デバイスに提供するための１次データ出力
を備える関連データアクセスデバイスと、
前記通信ネットワークを介して前記１台または複数台のサーバコンピュータから送信される前記補足的情報を受信し、前記補足的情報を受け手に提示するための関連データ受信デバイスと
を備え、
前記関連データアクセスデバイスおよび前記関連データ受信デバイスが、互いに離れたロケーションに設置することができる物理的に分離したハウジングに含まれ、
前記関連データアクセスデバイスが、ディスクプレイヤ、衛星テレビ受信ユニット、ケーブルテレビ受信ユニット、地上波テレビ受信ユニット、衛星ラジオ受信ユニット、地上波ラジオ受信ユニットおよびコンピュータからなるグループから選択されるデバイスの構成要素であり、
前記関連データ受信デバイスが、サーバコンピュータ、パーソナルコンピュータ、ラップトップコンピュータ、携帯電話および携帯情報端末デバイスからなるグループから選択されるデバイスの構成要素である、
装置。
【請求項１５】
前記関連データ受信デバイスが、前記関連データを第２の関連データ受信デバイスに提供するための第２の関連データ出力を備え、前記第２の関連データ出力が、無線データインターフェースデバイスおよび有線データインターフェースデバイスからなるグループから選択される、請求項１４に記載の装置。
【請求項１６】
前記第１の関連データ出力が、無線通信ネットワークを介して前記関連データを前記関連データ受信デバイスに直接送信するための無線データ送信機を含み、
前記関連データ受信デバイスが無線移動通信デバイスを含む、
請求項１４に記載の装置。
【請求項１７】
前記無線移動通信デバイスが、携帯電話、無線通信機能を有する携帯情報端末デバイスおよび無線通信機能を有するラップトップコンピュータからなるグループから選択されるデバイスを含む、請求項１６に記載の装置。
【請求項１８】
前記第１の関連データ出力が、前記関連データを前記通信ネットワークに転送するためのネットワークインターフェースを含み、前記関連データ受信デバイスが、前記通信ネットワークに接続されたコンピュータデバイスを含む、請求項１４に記載の装置。
【請求項１９】
前記メディアデータストリーム入力が、テレビ番組サービスプロバイダからテレビデータストリームを受信するためのテレビデータストリーム入力を含み、
前記抽出回路が、前記テレビデータストリーム内の前記関連データにアクセスするためのものであり、
前記１次データ出力が、１次テレビ番組データをテレビ表示デバイスに提供するためのものである、
請求項１４に記載の装置。
【請求項２０】
前記関連データ受信装置がパーソナルコンピュータの構成要素であり、前記補足的情報が前記パーソナルコンピュータに関連する表示デバイスに提供される、請求項１４に記載の装置。
【請求項２１】
前記メディアデータストリーム入力が、ラジオ番組サービスプロバイダからラジオデータストリームを受信するためのラジオデータストリーム入力を含み、
前記抽出回路が、前記ラジオデータストリーム内の前記関連データにアクセスするためのものであり、
前記１次データ出力が、１次ラジオ番組をオーディオデバイスに提供するためのものである、
請求項１４に記載の装置。
【請求項２２】
前記メディアデータストリーム入力が、ＤＶＤ（デジタル多用途ディスク）読取デバイスからデジタルビデオデータを受信するためのデジタルビデオ入力を含み、
前記抽出回路が、前記デジタルビデオデータ内の前記関連データにアクセスするためのものであり、
前記１次データ出力が、前記デジタルビデオデータからのデジタルビデオ番組をビデオ表示デバイスに提供するためのものである、
請求項１４に記載の装置。
【請求項２３】
前記メディアデータストリーム入力が、映画上映デバイスから映画データを受信するための映画データ入力を含み、
前記抽出回路が、前記映画データ内の前記関連データにアクセスするためのものであり、
前記１次データ出力が、映画番組を映画番組提示デバイスに提供するためのものである、
請求項１４に記載の装置。
【請求項２４】
前記映画データが音声データを含む、請求項２３に記載の装置。
【請求項２５】
前記メディアデータストリーム入力が、大型ビデオデータ表示デバイス用のビデオデータソースからビデオデータを受信するための大型ビデオデータ入力を含み、
前記抽出回路が、前記ビデオデータ内の前記関連データにアクセスするためのものであり、
前記１次データ出力が、ビデオ番組を前記大型ビデオ表示デバイスに提供するためのものである、
請求項１４に記載の装置。
【請求項２６】
前記抽出回路が、前記メディアデータストリーム内に符号化された１つまたは複数のＵＲＬ（ユニフォームリソースロケータ）データ列にアクセスするためのものであり、
前記関連データ受信装置が、前記１つまたは複数のＵＲＬ（ユニフォームリソースロケータ）データ列を受信し、前記１つまたは複数のＵＲＬ（ユニフォームリソースロケータ）データ列に少なくとも部分的に基づいて前記補足的情報のネットワークアドレスを特定し、前記ネットワークアドレスにある、前記補足的情報を含むデータファイルにアクセスするためのものである、
請求項１４に記載の装置。
【請求項２７】
前記関連データ受信デバイスがさらに、補足的メディア表現を生成するために、前記補足的情報を含む前記データファイルを実行するためのものである、請求項２６に記載の装置。
【請求項２８】
メディアデータソースからのメディア情報をメディアの受け手に転送するための方法であって、
（ａ）前記メディアデータソースから、１次データおよび関連データを含むメディアデータストリームを受信するステップであって、前記１次データが１次メディア表現を含み、前記関連データが前記１次メディア表現に関係する補足的情報の可用性を示すステップと、
（ｂ）前記１次メディア表現を、メディア提示デバイス上で前記メディアの受け手に提示するステップと、
（ｃ）前記メディアデータストリーム内の前記関連データにアクセスするステップと、
（ｄ）補足的情報が入手可能である表示を前記メディアの受け手に提供するステップであって、前記表示が前記関連データに基づくステップと、
（ｅ）前記補足的情報に関する要求を、前記要求を処理して前記補足的情報のネットワークアドレスを特定するように動作可能な１台または複数台のサーバコンピュータに通信ネットワークを介して送信するステップと、
（ｆ）前記１台または複数台のサーバコンピュータから通信ネットワークを介して送信される電子メッセージを受信するステップであって、前記電子メッセージが前記ネットワークアドレスにある前記補足的情報の可用性について前記メディアの受け手に知らせるステップと、
（ｇ）前記メディアの受け手に関連するコンピュータデバイスを使用して、通信ネットワークを介して前記補足的情報にアクセスするステップと
を含む方法。
【請求項２９】
前記ステップ（ｄ）が、前記メディア提示デバイス上、前記メディアの受け手に関連する前記コンピュータデバイス上、または前記メディアの受け手に関連する移動通信デバイス上にアイコンを表示するステップを含む、請求項２８に記載の方法。
【請求項３０】
前記補足的情報の前記ネットワークアドレスが、前記メディアデータストリーム内に組み込まれたＵＲＬ（ユニフォームリソースロケータ）データに少なくとも部分的に基づき、
前記ステップ（ｆ）が、前記ＵＲＬデータを含む電子メールメッセージまたはテキストメッセージを受信するステップを含み、
前記ステップ（ｇ）が、前記ＵＲＬデータが示す前記ネットワークアドレスにある前記補足的情報にアクセスするステップを含む、
請求項２８に記載の方法。
【請求項３１】
前記ステップ（ｆ）が、前記メディアの受け手に関連する前記コンピュータデバイスがアクセス可能な電子メールサーバまたはテキストメッセージサーバにある電子メールメッセージまたはテキストメッセージを受信するステップを含む、請求項２８に記載の方法。
【請求項３２】
前記ステップ（ｇ）が、前記メディアの受け手に関連する前記コンピュータデバイス上のネットワークブラウザアプリケーションを使用して前記補足的情報にアクセスするステップを含む、請求項２８に記載の方法。
【請求項３３】
前記補足的情報の前記ネットワークアドレスが、前記メディアデータストリーム内に組み込まれたデータタグに少なくとも部分的に基づいて特定され、前記データタグが前記ネットワークアドレスに関連し、
前記ステップ（ｆ）が、少なくとも前記ネットワークアドレスを示す前記電子メッセージを受信するステップを含み、
前記ステップ（ｇ）が、前記ネットワークアドレスにある前記補足的情報にアクセスするステップを含む、
請求項２８に記載の方法。
【請求項３４】
前記ネットワークアドレスが、前記ステップ（ｆ）で受信した前記電子メッセージ内で提供されるＵＲＬ（ユニフォームリソースロケータ）によって示される、請求項３３に記載の方法。
【請求項３５】
前記ステップ（ａ）が、前記メディアデータストリームを、デジタルメディアプレイヤ、ＤＶＤ（デジタル多用途ディスク）プレイヤ、ＣＤ（コンパクトディスク）プレイヤ、ＭＰ３プレイヤ、光ディスクドライブ、磁気ディスクドライブ、映画上映デバイス、大型ビデオ表示デバイス用のビデオデータソース、衛星メディア受信ユニット、ケーブルメディア受信ユニット、地上波メディア受信ユニットおよびインターネットからなるグループから選択されるメディアデータソースから受信するステップを含む、請求項２８に記載の方法。
【請求項３６】
前記メディアデータが、ビデオデータおよび音声データからなるグループから選択される、請求項２８に記載の方法。
【請求項３７】
前記メディア提示デバイスが、無線電話、デジタルメディアプレイヤ、デジタル音楽プレイヤ、ＤＶＤ（デジタル多用途ディスク）プレイヤ、ＣＤ（コンパクトディスク）プレイヤ、携帯情報端末デバイス、ラップトップコンピュータ、パーソナルコンピュータ、テレビ表示デバイス、デジタル投影機およびビデオモニタデバイスからなるグループから選択される、請求項２８に記載の方法。
【請求項３８】
前記メディア提示デバイスおよび前記メディアの受け手に関連する前記コンピュータデバイスが単一のデバイス内に実装される、請求項２８に記載の方法。
【請求項３９】
前記単一のデバイスが、無線電話、携帯情報端末デバイス、ラップトップコンピュータおよびパーソナルコンピュータからなるグループから選択される、請求項３８に記載の方法。
【国際調査報告】
2010510723.tif 000020